(57)【要約】      （修正有）【課題】遮熱および断熱に優れた屋根構造を提供する。【解決手段】鋼板屋根材１と、鋼板屋根材１の下方に配設された防水シート２と、防水シート２の下方に配設された遮熱断熱層体１０とを備え、鋼板屋根材１は、裏面に遮熱断熱シートを有し、遮熱断熱層体１０は、断熱機能を発揮する基材層と、前記基材層の片面または両面に形成され所定の機能を発揮する機能性薄膜とを含む屋根構造である。【選択図】図１
0003216266.tif 000002
【実用新案登録請求の範囲】
【請求項１】
鋼板屋根材と、前記鋼板屋根材の下方に配設された防水シートと、前記防水シートの下方に配設された遮熱断熱層体とを備え、
前記遮熱断熱層体は、断熱機能を発揮する基材層と、前記基材層の片面または両面に形成され所定の機能を発揮する機能性薄膜とを含む
ことを特徴とする屋根構造。
【請求項２】
基材層は、低発泡率の発泡樹脂からなる主部と、前記主部の両面に一体的に形成された強化層とを含むものとされてなることを特徴とする請求項１記載の屋根構造。
【請求項３】
低発泡率が、１５倍ないし２０倍とされてなることを特徴とする請求項２記載の屋根構造。
【請求項４】
機能性薄膜は、保護被膜が形成された遮熱薄膜とされてなることを特徴とする請求項１記載の屋根構造。
【請求項５】
遮熱薄膜は、合成樹脂からなる防蝕被膜が形成されたアルミ薄膜であることを特徴とする請求項４記載の屋根構造。
【請求項６】
遮熱断熱層体が、上部遮熱断熱層体と、下部遮熱断熱層体との二層体とされてなることを特徴とする請求項１記載の屋根構造。
【請求項７】
遮熱断熱層体の下方に第２の鋼板屋根材が配設されてなることを特徴とする請求項１記載の屋根構造。
【請求項８】
第２の鋼板屋根材が、軒先端部の開口部が密閉された波型鋼板とされてなることを特徴とする請求項７記載の屋根構造。
【請求項９】
第２の鋼板屋根材の下方に吸音部材が配設されてなることを特徴とする請求項７記載の屋根構造。
【請求項１０】
遮熱断熱層体の側面を支持するサイド支持部材が第２の鋼板屋根材に配設されてなることを特徴とする請求項７記載の屋根構造。
【請求項１１】
サイド支持部材が、鋼板屋根材と第２の鋼板屋根材との接合部材としての機能を有することを特徴とする請求項１０記載の屋根構造。
【請求項１２】
鋼板屋根材は、裏面に遮熱断熱シートを有してなることを特徴とする請求項１記載の屋根構造。
【考案の詳細な説明】
【技術分野】
【０００１】
本考案は、屋根構造に関する。さらに詳しくは、所望の遮熱・断熱性能を有し、しかも密閉性に優れた屋根構造に関する。
【背景技術】
【０００２】
従来より、鋼板屋根の断熱構造について種々提案がなされている。
【０００３】
例えば、特許文献１には、図１１に示すように、折板屋根１０１と、折板屋根１０１の凹部に埋設接着され、折板屋根１０１の凸部と表面をほぼ面一にした、断面が逆台形の発泡樹脂断熱ボード支持パッキン１０２と、折板屋根１０１の凸部および発泡樹脂断熱ボード支持パッキン１０２の表面に接着剤により接着され、表面をネット状のガラス繊維１０３により被覆された発泡樹脂断熱ボード１０４、前記発泡樹脂断熱ボード１０４上の全面に渡って被覆された防水シート１０５とを有する屋根構造１００が提案されている。
【０００４】
しかしながら、前記特許文献１の提案に係る屋根構造１００においては、表面をネット状のガラス繊維１０３により被覆された発泡樹脂断熱ボード１０４を折板屋根１０１の上に配設してなるものとされているところから、屋根構造１００の遮熱性能については課題がある。
【０００５】
また、屋根構造内への室内水蒸気の侵入防止については、何らの示唆もなされていない。
【先行技術文献】
【特許文献】
【０００６】
【特許文献１】特開２００６−１３２２１４号公報
【考案の開示】
【考案が解決しようとする課題】
【０００７】
本考案はかかる従来技術の課題に鑑みなされたものであって、遮熱および断熱に優れた屋根構造を提供することを主たる目的とし、さらに密閉性にも優れた屋根構造をも提供することを目的としている。
【課題を解決するための手段】
【０００８】
本考案の屋根構造は、鋼板屋根材と、前記鋼板屋根材の下方に配設された防水シートと、前記防水シートの下方に配設された遮熱断熱層体とを備え、前記遮熱断熱層体は、断熱機能を発揮する基材層と、前記基材層の片面または両面に形成され所定の機能を発揮する機能性薄膜とを含むことを特徴とする。
【０００９】
本考案の屋根構造においては、基材層は、低発泡率の発泡樹脂からなる主部と、前記主部の両面に一体的に形成された強化層とを含むものとされてなるのが好ましい。その場合、低発泡率は、例えば１５倍ないし２０倍とされる。
【００１０】
また、本考案の屋根構造においては、機能性薄膜は、保護被膜が形成された遮熱薄膜とされてなるのが好ましい。その場合、遮熱薄膜は、合成樹脂からなる防蝕被膜が形成されたアルミ薄膜であるのがさらに好ましい。
【００１１】
また、本考案の屋根構造においては、遮熱断熱層体が、上部遮熱断熱層体と、下部遮熱断熱層体との二層体とされてなるのが好ましい。
【００１２】
また、本考案の屋根構造においては、遮熱断熱層体の下方に第２の鋼板屋根材が配設されてなるのが好ましい。その場合、第２の鋼板屋根材が、軒先端部の開口部が密閉された波型鋼板とされてなるのがさらに好ましい。
【００１３】
また、本考案の屋根構造においては、第２の鋼板屋根材の下方に吸音部材が配設されてなるのが好ましい。
【００１４】
また、本考案の屋根構造においては、遮熱断熱層体の側面を支持するサイド支持部材が第２の鋼板屋根材に配設されてなるのが好ましい。その場合、サイド支持部材が、鋼板屋根材と第２の鋼板屋根材との接合部材としての機能を有するのがさら好ましい。
【００１５】
また、本考案の屋根構造においては、鋼板屋根材は、裏面に遮熱断熱シートを有してなるのが好ましい。
【考案の効果】
【００１６】
本考案は前記の如く構成されているので、遮熱断熱性能が向上するという優れた効果を奏する。
【００１７】
本考案の好ましい形態においては、踏み抜けの防止が図られるという優れた効果を奏する。
【００１８】
また、本考案の別の好ましい形態においては、吸音効果が得られるという優れた効果を奏する。
【図面の簡単な説明】
【００１９】
【図１】本考案の実施形態１に係る屋根構造の要部概略図である。
【図２】上部鋼板屋根材の要部概略図である。
【図３】遮熱断熱層体の概略図である。
【図４】上部遮熱断熱層体を分解して示す概略図である。
【図５】山部にビス先端部を格納する格納部が形成された折板の格納部概略図である。
【図６】軒先面戸の二面図であって、同(ａ)は平面図を示し、同(ｂ)は正面図を示す。
【図７】本考案の実施形態２に係る屋根構造の要部概略図である。
【図８】同実施形態に用いられる取付具の概略図であって、同(ａ)は固定ナットを分離して示す分解図を示し、同(ｂ)は吸音部材を取り付けた状態を示す。
【図９】本考案の実施形態３に係る屋根構造の要部概略図である。
【図１０】同実施形態に用いられる取付具の概略図であって、同(ａ)は吸音部材受け具の正面図を示し、同(ｂ)は吸音部材を取り付けた状態を示す。
【図１１】特許文献１の提案に係る屋根構造の概略図である。
【考案を実施するための形態】
【００２０】
以下、添付図面を参照しながら本考案を実施形態に基づいて説明するが、本考案はかかる実施形態のみに限定されるものではない。
【００２１】
実施形態１
図１に、本考案の実施形態１に係る屋根構造Ｒの要部を概略図で示す。なお、本実施形態の屋根構造Ｒは、体育館の屋根に用いられるものとされる。
【００２２】
屋根構造Ｒは、図１に示すように、上部鋼板屋根材(鋼板屋根材)１と、上部鋼板屋根材１の下部(下方)に配設された防水シート２と、防水シート２の下部(下方)に配設された遮熱断熱層体１０と、遮熱断熱層体１０の下部(下方)に配設された下部鋼板屋根材(第２の鋼板屋根材)３と、下部鋼板屋根材３を受ける支持部材４とを主要構成要素として備えてなるものとされる。
【００２３】
上部鋼板屋根材１は、例えば嵌合立平葺きＨＴ−４５(株式会社  三邦  商品名)とされる。
【００２４】
また、上部鋼板屋根材１は、図２に示すように、フラットな裏面に遮熱断熱シート１ａを一体化して有している。遮熱断熱シート１ａは、具体的には、下面に保護被膜（防蝕被膜）を有するアルミ薄膜１ｂが形成されたシートとされ、アルミ薄膜１ｂが形成されていない上面が上部鋼板屋根材１の裏面に貼付されている。
【００２５】
防水シート２は、例えばゴムアスファルトルーフィングとされる。
【００２６】
遮熱断熱層体１０は、図３に示すように、上部遮熱断熱層体２０と下部遮熱断熱層体３０とを積層してなる二層構造体とされて、その側端面がサイド支持部材５により支持されて横ずれ防止が図られている。
【００２７】
サイド支持部材５は、具体的には、中間片５ａと、中間片５ａの上端から一側方向に一体的に延伸された上部片５ｂと、中間片５ａの下端から他側方向に一体的に延伸された下部片５ｃとを含むものとされる。下部片５ｃは下部鋼板屋根材３に、例えばビス留めされる一方、上部片５ｂは上部鋼板屋根材１に、例えばビス留めされる。つまり、サイド支持部材５は上部鋼板屋根材１と下部鋼板屋根材３とを接合する機能も有する。
【００２８】
上部遮熱断熱層体２０は２０ｍｍの厚みを有し、図４に示すように、主として断熱機能を発揮する基材層２１と、基材層２１の片面、例えば下面に配設されて所定の機能を発揮する機能層２２とを含むものとされる。なお、図示例においては、機能層２２は下面に設けられているが、上面にも設けられてもよい。つまり、機能層２２は、両面に設けられてもよい。
【００２９】
基材層２１は、低発泡率の発泡樹脂パネル、例えばポリスチレンパネルからなる主部と、主部の両面に熱圧着により一体的に形成された強化層とを含むものとされて強度の強化が図られた強化発泡樹脂とされる。ここで、低発泡率は例えば１５倍ないし２０倍とされる。なお、かかる構成を有する基材層２１は、例えばエアインフォーム(コンフォートフォーム株式会社  商品名(登録商標第５８９８８１３号))とされる。
【００３０】
機能層２２は、例えば遮熱機能を有する薄膜(遮熱薄膜)とされる。遮熱薄膜は、具体的には、表面に保護被膜（防蝕被膜）が形成されたアルミフィルム(アルミ薄膜)とされる。この遮熱薄膜により屋内への太陽光からの輻射熱が遮熱される。
【００３１】
下部遮熱断熱層体３０は、上部遮熱断熱層体２０と同様の構成とされている。
【００３２】
遮熱断熱層体１０が、上部遮熱断熱層体２０と下部遮熱断熱層体３０とからなる二層構造体とされているところから、遮熱断熱性能が向上するとともに、踏み抜け防止機能も向上する。
【００３３】
下部鋼板屋根材３は、山谷を有する折板とされ、かつサイド支持部材５を下部鋼板屋根材３に固定するビスの先端部が下部鋼板屋根材３内に露出しないようにするビス先端格納部が山部に設けられたものとされる(図５参照)。そのため、ビス留めされた箇所から室内の湿気が屋根構造内への侵入が防止され、遮熱断熱層体１０の湿気による劣化が防止される。なお、かかる構成を有する折板としては、例えばサドシマＺルーフＩＩ型(株式会社  佐渡島  商品名)があげられる。また、遮熱断熱層体１０が前記構成とされているところから、遮熱断熱層体１０の下部鋼板屋根材３の谷部に位置する箇所において踏み抜けが生じるおそれはない。
【００３４】
図６に下部鋼板屋根材３の軒先端部を示す。
【００３５】
下部鋼板屋根材３の軒先端部には、図６に示すように、軒先面戸６が配設されている。軒先面戸６の下部鋼板屋根材３の軒先端部との嵌合部６に、図示はされていないが、シーリング材が充填されてシール(密閉)がされている。それにより、屋根構造Ｒ内への外部湿気の侵入防止が図られ、湿気による遮熱断熱層体１０の劣化防止がなされている。
【００３６】
支持部材４は、軽量角型鋼とされる。支持部材４を軽量角型鋼とするのは、下部鋼板屋根材３の支持部材４へのビス留め箇所から室内湿気が屋根構造Ｒ内へ侵入するのを防止するためである。
【００３７】
次に、かかる構成とされた屋根構造Ｒの施工の一例について説明する。
【００３８】
ステップ１：支持部材４を所定配列にて配設する。
【００３９】
ステップ２：下部鋼板屋根材３を、例えば屋根の長手方向に沿って配設する。
【００４０】
ステップ３：サイド支持部材５を下部鋼板屋根材３の長手方向に沿って所定間隔で配設する。
【００４１】
ステップ４：サイド支持部材５，５間に下部遮熱断熱層体３０および上部遮熱断熱層体２０を配設してサイド支持部材５にビス留めする。
【００４２】
ステップ５：防水シート２を配設する。
【００４３】
ステップ６：上部鋼板屋根材１を下部鋼板屋根材３と直交方向に配設する。
【００４４】
ステップ７：軒先面戸６を下部鋼板屋根材３の軒先端部にセットし、嵌合部をシールする。
【００４５】
以上により屋根構造Ｒの施工が完了して屋根が形成される。
【００４６】
このように、本実施形態によれば、上部鋼板屋根材１が裏面に遮熱断熱シート１ａを一体化して有し、さらに遮熱断熱層体１０が上部遮熱断熱層体２０と下部遮熱断熱層体３０とを積層してなる二層構造体とされているところから、遮熱・断熱性能が向上する。
【００４７】
また、基材層２１が強化発泡樹脂とされて強度の強化が図られたものを二層構造体としているので、下部鋼板屋根材３の谷部に位置する箇所において踏み抜けが生じるおそれはない。
【００４８】
実施形態２
図７に、本考案の実施形態２に係る屋根構造Ｒの要部を概略図で示す。
【００４９】
実施形態２は実施形態１を改変してなるものであって、下部鋼板屋根材３の下面に吸音部材７を配設してなるものとされる。図中、符号８は取付具を示す。
【００５０】
以下、実施形態２の実施形態１と異なる点を中心に説明する。
【００５１】
吸音部材７は、公知の吸音材からなるものとされ、例えばグラスウールボードとされる。なお、本実施形態ではグラスウールボードの厚みは２５ｍｍとされているが、グラスウールボードの厚みは２５ｍｍに限定されるものではなく、求められる吸音性能に応じて適宜とされる。
【００５２】
図８に、吸音部材７の取り付け状態を示す。
【００５３】
吸音部材７の取り付けは、図８（ａ）に示すように、装着板８ａと、装着板８ａの片面の適宜位置、例えば重心位置に立設されたロッド８ｂと、ロッド８ｂの先端部にオネジを形成するタップ機能を有する固定ナット８ｃとを含む取付具８によるものとされる。かかる構成の取付具８としては、例えばＳＰアンカー(セブン工業株式会社  商品名)とＳＰナット(セブン工業株式会社  商品名)との組み合わせをあげることができる。かかる取付具８を用いることにより下部鋼板屋根材３の谷部に密閉された空気層を形成することができ、遮熱・断熱性能の向上が図られる。
【００５４】
装着板８ａの形状は、例えば角にアールが形成された正方形または長方形とされる。
【００５５】
装着板８ａのロッドが立設された面とは反対側の面には接着剤が塗布されて、取付具８が下部鋼板屋根材３の下面に接着固定可能とされている。
【００５６】
ロッド８ｂの先端は、図８（ａ）に示すように、尖頭とされて吸音部材７がロッド８ｂに容易に差し込み取り付けがなされるようにされている。
【００５７】
固定ナット８ｃの基部は、図８（ａ）に示すように、鍔状とされて吸音部材７を押圧保持するようにされている。
【００５８】
図８（ｂ）に、取付具８により吸音部材７を下部鋼板屋根材３に取り付けた状態を示す。
【００５９】
このように、本実施形態では下部鋼板屋根材３の下面に吸音部材７を配設してなるものとされているので、吸音性能が向上するという実施形態１では得られない効果が得られる。
【００６０】
実施形態３
図９に、本考案の実施形態３に係る屋根構造Ｒの要部を概略図で示す。なお、本実施形態の屋根構造Ｒは屋内プールの屋根に用いられるものとされる。
【００６１】
実施形態３は実施形態２を改変してなるものであって、吸音部材７の材質を変更するとともに、取付構造を改変してなるものとされる。
【００６２】
以下、実施形態３の実施形態２と異なる点を中心に説明する。
【００６３】
吸音部材７は、プールからの水蒸気により劣化しない性能を有するものとされる。例えば、有孔鋼板とされる。本実施形態では有孔鋼板の厚みは、１５ｍｍ−２５ｍｍとされているが、有孔鋼板の厚みは１５ｍｍ−２５ｍｍに限定されるものではなく、求められる吸音性能に応じて適宜とされる。
【００６４】
図１０に、吸音部材受け具９の一例を示す。なお、吸音部材受け具９は、図示例に限定されるものではなく適宜とされる。
【００６５】
吸音部材受け具９は、図１０（ａ）に示すように、鍔付き逆溝型状とされている。すなわち、中央部の逆溝状取付部９ａと、逆溝状取付部９ａの下端から図中左右方向に一体的に一定距離延伸された受け部９ｂとを有するものとされる。
【００６６】
逆溝状取付部９ａの頂部水平部の幅は、例えば２５ｍｍとされ、また、高さは吸音部材７の受けに支障のない寸法、例えば２５ｍｍとされている。
【００６７】
受け部９ｂの幅は、例えば３０ｍｍとされている。
【００６８】
図１０（ｂ）に、吸音部材受け具９により吸音部材７を下部鋼板屋根材３に取り付けた状態を示す。図中、符号９ｍはビスを示し、９ｐは止水パッキンを示す。
【００６９】
このように、本実施形態によれば室内プールにおける反響音を低減できる。
【００７０】
以上、本考案を実施形態に基づいて説明してきたが、本考案はかかる実施形態のみに限定されるものではなく種々改変が可能である。
【００７１】
例えば、実施形態ではフラット屋根を例に取り説明されているが、本考案の適用はフラット屋根に限定されるものではなく、アーチ型の屋根にも適用が可能である。
【００７２】
また、本実施形態では遮熱断熱層体１０は、上部遮熱断熱層体２０と下部遮熱断熱層体３０とを積層してなる二層構造体とされているが、条件によっては一層構造とされてもよい。
【００７３】
また、本実施形態では上部鋼板屋根材１は、フラットな裏面に遮熱断熱シート１ａを一体化して有しているが、遮熱断熱シート１ａは必ずしも設けられる必要はない。
【産業上の利用可能性】
【００７４】
本考案は建築産業に適用できる。
【符号の説明】
【００７５】
Ｒ        屋根構造
１        上部鋼板屋根材
１ａ      遮熱断熱シート
１ｂ      アルミ薄膜
２        防水シート
３        下部鋼板屋根材
４        支持部材
５        サイド支持部材
５ａ      中間片
５ｂ      上部片
５ｃ      下部片
６        軒先面戸
７        吸音部材
８        取付具
８ａ      装着板
８ｂ      ロッド
８ｃ      固定ナット
９        吸音部材受け具
９ａ      逆溝状取付部
９ｂ      受け部
９ｍ      ビス
９ｐ      止水パッキン
１０        遮熱断熱層体
２０        上部遮熱断熱層体
２１        基材層
２２        機能層
３０        下部遮熱断熱層体
【図１】
0003216266.tif 000003
【図２】
0003216266.tif 000004
【図３】
0003216266.tif 000005
【図４】
0003216266.tif 000006
【図５】
0003216266.tif 000007
【図６】
0003216266.tif 000008
【図７】
0003216266.tif 000009
【図８】
0003216266.tif 000010
【図９】
0003216266.tif 000011
【図１０】
0003216266.tif 000012
【図１１】
0003216266.tif 000013